(57)【要約】  無線通信を提供するとともに電力消費量を低減させる通信方法、通信装置及び通信システムは、帯域内通信装置と、帯域外通信装置とを備え、帯域外通信装置は、帯域外無線通信を提供し、帯域内通信装置に接続され、帯域外無線通信情報を受信し、帯域内通信装置をアクティブ化して、帯域内通信装置をスリープモードからアクティブモードに遷移させる。帯域内通信装置は、スリープモードで維持される。帯域内通信装置は、帯域外通信情報を受信すると、スリープモードからアクティブモードに遷移する。帯域外通信装置は、帯域内通信装置が帯域外通信情報のターゲット機器であることを確認でき、ターゲット機器が意図されたターゲットであることが確認された場合、帯域外識別要求を送信し、帯域外応答を含む識別情報を受信することによって、帯域内通信装置をアクティブ化する。【特許請求の範囲】
【請求項１】
無線通信に用いる通信装置において、
帯域内無線通信を提供し、アクティブモード及びスリープモードを有する帯域内通信装置と、
帯域外無線通信を提供し、上記帯域内通信装置に接続され、帯域外無線通信情報を受信し、上記帯域内通信装置をアクティブ化して、該帯域内通信装置をスリープモードからアクティブモードに遷移させる帯域外通信装置とを備える通信装置。
【請求項２】
上記帯域外通信装置は、コントローラを備え、上記帯域外無線通信情報の少なくとも一部は、該コントローラに供給され、該コントローラは、帯域内通信装置をアクティブ化し、該帯域内通信装置をスリープモードからアクティブモードに遷移させることができる請求項１記載の通信装置
【請求項３】
上記コントローラは、更に帯域外通信情報を送信することを特徴とする請求項２記載の通信装置。
【請求項４】
上記コントローラは、上記帯域内通信装置をアクティブ化する前に、上記帯域外通信情報の送信に対する帯域外無線通信応答を待機することを特徴とする請求項３記載の通信装置。
【請求項５】
上記帯域外通信装置は、上記帯域外無線通信情報を受信する帯域外無線受信機を備えることを特徴とする請求項１記載の通信装置。
【請求項６】
上記帯域外無線通信情報は、帯域外チャンネルを介して受信されることを特徴とする請求項１記載の通信装置。
【請求項７】
上記帯域外通信情報は、上記帯域内無線通信とは異なる周波数スペクトルで受信されることを特徴とする請求項６記載の通信装置。
【請求項８】
上記帯域内通信装置は、スリープモードで動作する場合、完全に電源がオフにされることを特徴とする請求項１記載の通信装置。
【請求項９】
上記帯域内通信装置は、該帯域内通信装置がスリープモードの場合、帯域内コントローラの電源をオフにする帯域内コントローラを備えることを特徴とする請求項８記載の通信装置。
【請求項１０】
帯域内通信装置と、
上記帯域内通信装置に接続され、帯域外通信情報を無線で受信すると、上記帯域内通信装置が帯域内通信情報を無線で提供するように該帯域内通信装置をアクティブ化する帯域外通信装置とを備える無線通信機器。
【請求項１１】
上記帯域内通信装置は、スリープモード及びアクティブモードを有し、上記帯域内通信装置は、上記帯域外通信装置によってアクティブ化されると、スリープモードからアクティブモードに遷移することを特徴とする請求項１０記載の無線通信機器。
【請求項１２】
上記帯域外通信装置に無線で接続され、上記帯域外無線通信を生成するアクセスポイントを更に備える請求項１１記載の無線通信機器。
【請求項１３】
上記帯域内通信装置がスリープモードになると、電源がオフにされるホストプロセッサを更に備える請求項１１記載の無線通信機器。
【請求項１４】
帯域内通信装置をスリープモードで維持するステップと、
帯域外通信情報を無線で受信するステップと、
上記帯域外通信情報に応じて、上記帯域内通信装置をアクティブ化するステップと、
上記帯域内通信装置をスリープモードからアクティブモードに遷移させるステップとを有する無線通信方法。
【請求項１５】
上記帯域外通信情報を受信するステップは、帯域外通信装置を介して該帯域外通信情報を受信するステップを含むことを特徴とする請求項１４記載の無線通信方法。
【請求項１６】
上記帯域内通信装置をスリープモードで維持するステップは、該帯域内通信装置の電源を完全にオフにするステップを含むことを特徴とする請求項１４記載の無線通信方法。
【請求項１７】
上記帯域外通信情報のターゲット機器を確認するステップと、
該ターゲット機器が意図されたターゲットであることが確認された場合、上記帯域内通信装置をアクティブ化するステップとを更に有する請求項１４記載の無線通信方法。
【請求項１８】
上記帯域外通信情報のターゲット機器が意図されたターゲットであることを確認するステップは、
帯域外識別要求を送信するステップと、
帯域外応答を含む識別情報を受信するステップとを更に有することを特徴とする請求項１７記載の無線通信方法。
【請求項１９】
上記帯域内通信情報を受信した後、上記帯域内通信装置をアクティブモードからスリープモードに遷移させるステップを更に備える請求項１４記載の無線通信方法。
【請求項２０】
上記帯域外通信情報は、帯域内無線通信の変調方式とは異なる変調方式で変調されることを特徴とする請求項１９記載の通信装置。
【発明の詳細な説明】
【技術分野】
【０００１】
本発明は、無線通信にし、特に、リモート装置の電源投入に関する。
【背景技術】
【０００２】
ＩＥＥＥ８０２．１１に基づく無線ローカルエリアネットワーク（wireless local area network：ＷＬＡＮ）等の無線ネットワークにおいては、無線局又はアクセスポイント等の無線通信機器は、他の無線局、若しくは同じ又は異なるアクセスポイント等のネットワーク内のリモート機器と無線で通信を行う。この通信は、リモート機器が使用されていないときに行われることも多い。ここで、現在のＩＥＥＥ８０２．１１での実行では、ターゲットとなるリモート機器は、ターゲット機器に宛てられるパケットを待機し、通信チャンネルを監視するために、完全に電源がオンにされた状態又はモードで維持されている必要があり、すなわち、無線回路、これに関連する無線チップ、ホストプロセッサ、及びこれに関連するコンポーネントの電源をオンにした状態でなくてはならない。
【０００３】
これに代えて、リモート機器は、ＩＥＥＥ８０２．１１メディアアクセスコントローラ（medium access controller：ＭＡＣ）の幾つかのコンポーネントの電源をオフにした低電力モードで動作していてもよいが、システムの無線回路及び残り部分、並びにホスト機器（例えば、ホストプロセッサ）の大部分は、通常、少なくとも部分的に、電源をオンにしておく必要がある。このようなＩＥＥＥ８０２．１１の電源に関する制約により、無線回路及びシステムの残りの部分、並びにホスト機器は、かなりの量の電力を消費し、特にバッテリ又はセルで動作するホストの稼働時間がかなり制限される。
【０００４】
低電力モードでは、機器は、機器に宛てられたパケットの有無をチェックするために、定期的に、完全なアクティブモードに遷移する必要がある。この結果、機器は、更なる電力を消費し、携帯型電源を消耗させる。
【発明の開示】
【課題を解決するための手段】
【０００５】
本発明は、無線通信を提供するとともに電力消費量を低減させる通信方法、通信装置及び通信システムを提供することにより上述の課題及び他の課題を解決する。本発明に係る通信装置は、アクティブモード及びスリープモードを有する帯域内通信装置と、帯域外無線通信を提供し、帯域内通信装置に接続され、帯域外無線通信情報を受信し、帯域内通信装置をアクティブ化して、帯域内通信装置をスリープモードからアクティブモードに遷移させる帯域外通信装置とを備える。帯域外通信装置は、コントローラを備え、帯域外無線通信情報の少なくとも一部は、コントローラに供給され、コントローラは、帯域内通信装置をアクティブ化し、帯域内通信装置をスリープモードからアクティブモードに遷移させてもよい。コントローラは、更に帯域外通信情報を送信してもよい。
【０００６】
幾つかの実施形態として、本発明は、無線通信に用いる通信方法を提供する。この通信方法は、帯域内通信装置をスリープモードで維持するステップと、帯域外通信情報を無線で受信するステップと、帯域外通信情報に応じて、帯域内通信装置をアクティブ化するステップと、帯域内通信装置をスリープモードからアクティブモードに遷移させるステップとを有する。帯域外通信情報を受信するステップは、帯域外通信装置を介して帯域外通信情報を受信するステップを含んでいてもよい。帯域内通信装置をスリープモードで維持するステップは、帯域内通信装置の電源を完全にオフにするステップを含んでいてもよい。通信方法は、帯域外通信情報のターゲット機器を確認するステップと、ターゲット機器が意図されたターゲットであることが確認された場合、帯域内通信装置をアクティブ化するステップとを更に有していてもよく、帯域外通信情報のターゲット機器が意図されたターゲットであることを確認するステップは、帯域外識別要求を送信するステップと、帯域外応答を含む識別情報を受信するステップとを更に有していてもよい。幾つかの実施形態では、帯域外通信情報は、帯域内無線通信の変調方式とは異なる変調方式で変調されていてもよい。
【０００７】
以下の発明の詳細な説明及び本発明の原理に基づく例示的な実施形態を示す添付の図面を参照することにより、本発明の特徴及び利点は、更に明瞭に理解される。
【発明を実施するための最良の形態】
【０００８】
添付の複数の図面に亘って対応する参照記号は、対応するコンポーネントを示している。図面に示す要素は、本発明を簡潔且つ明瞭に説明するために示されており、必ずしも同じ縮尺で描かれていないことは当業者には明らかである。例えば、本発明の様々な実施形態の理解を容易にするために、図内の幾つかの要素の寸法は、他の要素より大きく示している。また、商業的に実現可能な実施形態において有用又は必要である一般的によく知られた要素については、本発明の様々な実施形態の特徴を不明瞭にしないため、敢えて省略している。
【０００９】
これらの様々な実施形態は、無線通信において、電力消費量を削減するためのシステム、装置及び方法を提供する。これらの実施形態では、帯域外（out-of-band）制御チャンネルを用いて、１つ以上の無線機器に対し、１又は複数の機器への１つ以上の帯域内無線通信が準備されたことを通知する。この帯域外シグナリングは、１つ以上の無線機器をトリガし、例えば、８０２．１１の規格に従う通信情報等の帯域内無線通信情報を受信する回路をアクティブ化する。無線通信機器に簡易な帯域外受信機を組み込むことにより、帯域外制御チャンネルを用いて、無線通信機器は、帯域外通知を受け取り、帯域内通信システムの電力投入及び／又はアクティブ化をトリガすることができる。簡易型の帯域外受信機は、最小限の電力消費量で動作する。更に、帯域外受信機は、帯域内無線通信システムを検出し、通知するので、無線通信機器は、大幅に低減された電力レベルで動作でき、好ましくは、完全に電源がオフにされる。
【００１０】
例えば、８０２．１１規格をインプリメントする無線ネットワーク（例えば、８０２．１１ベースの無線ローカルエリアネットワーク（ＷＬＡＮ））及び他の同様の無線ネットワーク等の無線ネットワークにおいて、ネットワークの１つの機器は、ネットワークの他の機器と無線で通信を行う。無線ネットワークの動作においては、ネットワーク機器が無線通信を受信せず及び／又は無線通信を送信しない期間があり、この期間は、長いことも多い。この結果、無線通信は、その時点で使用されていない１つ以上の機器に対して行われることも多い。
【００１１】
従来の８０２．１１通信機器では、受信機器は、受信機器に宛てられるパケットを待機し、通信チャンネルを監視するために、無線回路、これに関連する無線チップ、ホストプロセッサ、及びこれに関連するコンポーネントの電源をオンにしている。幾つかの機器は、受信装置の８０２．１１のメディアアクセスコントローラ（medium access controller：ＭＡＣ）アーキテクチャの幾つかの無線通信コンポーネントの電源をオフにする（例えば、これらのコンポーネントは、１秒毎に５００〜６００ミリ秒電源をオフにしてもよい。）スリープモード又は低電力モードに移行するように構成することができる。但し、無線コンポーネント及び帯域内無線通信情報を受信するシステムの残りの部分（マイクロプロセッサ等）は、少なくとも部分的に、電源をオンにしておく必要がある。更に、通常、機器のホスト又はメインプロセッサは、完全に電源をオンにしておく必要がある。例えば、無線通信を行うように構成されたラップトップコンピュータは、中央プロセッサ（例えば、ペンティアム（登録商標）（Pentium（登録商標）プロセッサ）の電源を完全にオンにした状態で維持しなくてはならない。受信装置の電源を完全にオンにした状態で維持し、及び／又は受信装置の無線通信コンポーネントの電源をオンにした状態で維持することにより、かなりの電力が消費される。これは、例えば、移動無線機器等のように、バッテリ及び／又はセルで駆動する機器にとって重大な問題である。バッテリの消耗により、電池式機器の稼働時間が著しく制約される。
【００１２】
従来の８０２．１１チップセットを用いた幾つかの機器では、無線通信機器は、機器の電源を完全にオンにした場合、又は通信データを受信し及び／又は機器に宛てられる通信データを待機するための高電力モードの場合、例えば、約１．５Ｗの電力を消費する。低電力モードで動作できる幾つかの無線機器は、通信を待機する低電力モードにおいて、消費電力を約１００ミリワットに低減することができる。低電力モードを有するこれらの無線機器は、通常、無線機器に宛てられたパケットの有無をチェックするために、周期的に高電力モードに移行し、ここで更なる電力を消費する。機器は、頻繁に通信データを受信するわけではないので、この更なる電力消費により、多くの場合、無駄な電力が消費される。更に、低電力モードを有する無線機器は、多くの場合、ホストシステム（例えば、ホストマイクロプロセッサ及び他の関連要素）の電源を完全なオン状態に維持し、無線機器の他のコンポーネントを低電力モードに維持する。
【００１３】
本発明は、例えば、無線ＬＡＮネットワーク又は他の同様の無線ネットワークを介して通信する無線機器の電力消費量を低減する方法、システム及び装置を提供する。図１は、一実施形態に基づくネットワーク１００の簡略化されたブロック図を示している。ネットワーク１００は、１つ以上のアクセスポイント（ＡＰ）１０２〜１０４を備える。各アクセスポイントは、１つ以上の無線局、すなわち無線機器（ＳＴＡ）１０６〜１１１と無線通信を行う。無線局は、移動局であっても、固定局であってもよい。幾つかの実施形態では、アクセスポイント（例えば、アクセスポイント１０２）は、他の１つ以上のアクセスポイント（例えば、アクセスポイント１０３）と無線通信を行う。幾つかの実施形態では、無線局は、１つ以上の無線局と直接通信することができる。
【００１４】
アクセスポイントは、インターネット、イントラネット、公衆交換電話網（ＰＳＴＮ）、サービス統合ディジタル網（ＩＳＤＮ）、及び／又は他の同様のネットワーク等の更に１つ以上の有線ネットワーク１２０に接続される。アクセスポイントは、有線ネットワーク１２０を介して、例えば、インターネットを介してアクセスされるサーバ１２２、他のサブネットワークのアクセスポイント１０４、他の有線又は無線ネットワーク（イントラネット、ＰＳＴＮ、ＩＳＤＮ、セルラネットワーク、他の同様のネットワーク等）１２６内の他の機器１２４、１２５を始めとする外部機器と通信することができる。
【００１５】
通常、アクセスポイント１０２〜１０４は、無線サブネットワーク１３０における無線通信を制御する。アクセスポイント１０２は、サブネットワークへ／からの通信を制御する。これにより、無線サブネットワーク１３０の外部の機器と、無線局１０６〜１０８との間で通信することができる。更に、アクセスポイント１０２は、サブネットワーク内の無線局間の無線通信リンクを提供する。無線サブネットワーク１３０は、実質的に如何なる無線ネットワークであってもよく、例えば、家庭内無線ネットワーク、キャンパス内無線ネットワーク、移動体通信ネットワーク（例えば、携帯電話ネットワーク）又は他の同様の無線ネットワークであってもよい。アクセスポイント１０２は、無線サブネットワーク１３０を制御する中央アクセスポイントであってもクライアント装置アクセスポイントであってもよい。無線局１０６〜１０８は、アクセスポイントと及びアクセスポイントを介して無線通信を行うように構成された、例えば、コンピュータ、無線電話、セットトップボックス、ビデオゲームコンソール（例えば、ソニー・プレイステーション（商標）等）、他の類似する装置等、アクセスポイントと通信するように構成された無線機器であってもよい。例えば、無線局１０６は、アクセスポイント１０２を介してインターネット等の有線ネットワーク１２０に無線でアクセスするポータブルコンピュータ（例えば、ラップトップコンピュータ）であってもよい。また、無線局は、他の無線局と直接通信を行ってもよい。
【００１６】
図２は、図１のネットワークにおいて実施できる幾つかの実施形態に基づく無線局１４０の簡略化されたブロック図を示している。この無線局１４０は、帯域内通信装置１４２及び帯域外通信装置１４４を備える。帯域内通信装置１４２及び帯域外通信装置１４４は、それぞれ、無線局１４０と無線通信情報を送受する。更に、無線システム１００のアクセスポイント１０２〜１０４は、図２に示すものと同様の帯域内通信装置１４２及び帯域外通信装置１４４を備えていてもよい。帯域内通信装置１４２及び帯域外通信装置１４４は、電力消費量を低減するために、実質的に、如何なる無線通信機器に組み込んでもよいことは当業者にとって明らかである。
【００１７】
帯域内通信装置１４２は、無線ＬＡＮ（ＷＬＡＮ）又は無線パーソナルエリアネットワーク（ＷＰＡＮ）チップセット１５０を備えていてもよい。ＷＬＡＮ／ＷＰＡＮチップセット１５０は、帯域内無線通信情報を無線で送信及び／又は受信する１つ又は複数の送信機、受信機及び／又は帯域内送受信機１５６に接続される。ＷＬＡＮ／ＷＰＡＮチップセット１５０は、無線ネットワーク及び／又はサブネットワーク（例えば、それぞれネットワーク１００及び／又は無線サブネットワーク１３０）で用いられている規格に基づき、無線通信データに対して、フォーマット、復号、符号化、及び他の処理を施す。帯域内通信装置１４２は、予め定義されたパラメータに基づき、帯域内送受信機１５６を介して、無線通信を提供する。これらのパラメータは、通常、例えば、ＩＥＥＥ８０２．１１等、通信を提供するための規格によって定義される。無線局１４０が８０２．１１規格に基づいて無線通信を行う場合、ＷＬＡＮ／ＷＰＡＮチップセット１５０は、通常の８０２．１１通信帯域内チャンネルを介して、及び８０２．１１規格によって定義される所定の帯域内（例えば、２．４０ＧＨｚ〜２．５０ＧＨｚ）でデータを送信及び受信する。
【００１８】
帯域内コントローラ１５２は、ＷＬＡＮ／ＷＰＡＮチップセット１５０に接続され、ＷＬＡＮ／ＷＰＡＮチップセット１５０に対する、及び帯域内通信装置１４２に対する更なる制御を提供する。帯域内コントローラ１５２は、プロセッサ、マイクロプロセッサ、コンピュータ又は他の同様のコントローラによって実現してもよい。幾つかの実施形態では、帯域内コントローラ１５２は、ホストデバイスコントローラ及び／又はマイクロプロセッサである。これに代えて、幾つかの実施形態では、帯域内コントローラ１５２は、ホストコントローラ／プロセッサから独立し、これと連携する。帯域内コントローラ１５２は、ＷＬＡＮ／ＷＰＡＮチップセット１５０に対し、電源をオンにし、電源をオフにし、及びこれに類する制御を行うことができる。
【００１９】
更に、帯域内通信装置１４２は、例えば、帯域内コントローラ１５２及び／又はＷＬＡＮ／ＷＰＡＮチップセット１５０がアクセス可能な１つ以上のＲＡＭ、ＦＬＡＳＨ、ＲＯＭ又は他の同様のメモリ又はこれらのメモリの組合せである帯域内メモリ１５４を備える。帯域内メモリ１５４は、命令、データ、動作、プログラム、プロトコル、制御パラメータ及び他の同様のデータ、ＷＬＡＮ／ＷＰＡＮチップセット１５０及び帯域内コントローラ１５２がアクセスし、利用することができる情報及び命令を保存する。帯域内メモリ１５４は、帯域内通信装置１４２に対して固有のメモリであってもよく、ホスト機器メモリの一部であってもよく、又はこれらの組合せであってもよい。
【００２０】
更に、帯域外通信装置１４４は、無線局１４０と無線通信情報を送受する。なお、帯域外通信装置１４４は、帯域内通信装置１４２及び／又は帯域外変調によって用いられている周波数帯域外の周波数で、無線通信情報を少なくとも受信する。例えば、帯域内通信装置１４２が１つ以上の８０２．１１ベースのチャンネル（例えば、２．４０ＧＨｚ〜２．５０ＧＨｚの間で定義される）を介して通信している場合、帯域外通信装置１４４は、例えば９１６ＭＨｚの周波数帯域を介して又は帯域内通信装置１４２が使用している帯域とは異なる帯域を介して通信することができる。幾つかの実施形態では、帯域外通信情報は、帯域内通信情報よりもかなり低い周波数、データレート及び／又は信頼性で通信される。これにより、電力消費量が小さい、簡易な実行が可能になる。
【００２１】
これに代えて及び／又はこれに加えて、幾つかの実施形態では、他の帯域内通信情報と同じ周波数チャンネルで、但し、帯域外通信情報を変調する際に異なる変調方式を用いて帯域外通信情報を提供する。これらの実施形態では、電力オン信号は、実際には同じ周波数帯域にあるが、変調「帯域」が異なるので、「仮想的に」、帯域外信号とみなすことができる。この結果、帯域内信号は、帯域外変調スキームによって変調された帯域外信号から容易に区別できる。帯域内受信回路又はシステムは、帯域外信号を復調できず、同様に、帯域外受信装置は、帯域内信号を復調できない。帯域内受信装置は、帯域外通信情報を雑音とみなし、帯域外受信装置は、帯域内通信情報を雑音とみなす。幾つかの実施形態では、帯域外信号は、帯域外周波数で、且つ、異なる変調「帯域」で生成してもよい。
【００２２】
帯域外通信装置１４４は、多くの場合、プロセッサ、マイクロプロセッサ、コンピュータ又は他の同様のコントローラによって実現される帯域外コントローラ１６０を備える。好適な実施形態では、帯域外コントローラ１６０は、低電力コントローラであり、幾つかの実施形態では、帯域外コントローラ１６０は、演算パワーが低く及び消費電力要求が低いマイクロコントローラである。好ましくは、帯域外通信装置１４４は、独立した帯域外コントローラ１６０を備える。この独立した帯域外コントローラ１６０により、帯域外通信装置１４４は、帯域内通信装置１４２から独立して、ホスト機器のコントローラ（ホストコントローラ）を動作させることができ、これにより、ホスト機器は、ホストコントローラ及び／又はプロセッサの電源をオンの状態に維持する必要がない。帯域内通信装置１４２の電源がスリープモードにおいてオフにされている状態で、ホストコントローラが帯域内コントローラとは異なる場合、このホストコントローラと、他のホストコンポーネントの電源もオフにすることができる。なお、帯域外コントローラ１６０及び帯域内コントローラ１５２は、単一のコントローラによって実現してもよい。
【００２３】
更に、帯域外通信装置１４４は、帯域外受信機又は送受信機１６２を備える。この帯域外受信機／送受信機１６２は、好ましくは、例えば、単純なＩＳＭ帯（industrial, science and medial band：産業・科学・医療用帯域）送受信機のように、例えば、９１６ＭＨｚの帯域等、帯域内通信装置１４２における通信のために定義される帯域以外の帯域で動作する簡易な低出力受信機／送受信機として実現される。幾つかの実施形態では、無線局（例えば、無線局１０６）は、帯域外通信情報のみを受信できればよい。また、幾つかの実施形態では、無線局は、帯域外チャンネルを介して、アクセスポイント（又は、他の機器）と通信を行う。
【００２４】
更に、帯域外通信装置１４４は、帯域外コントローラ１６０及び／又は帯域外受信機／送受信機１６２によってアクセス可能なＲＡＭ、フラッシュメモリ、ＲＯＭ又は他の同様のメモリの１つ以上によって実現される帯域外メモリ１６４を備える。幾つかの実施形態では、帯域外メモリ１６４は、帯域外コントローラ１６０内に組み込まれる。帯域外メモリ１６４は、命令、データ、動作、プログラム、プロトコル、制御パラメータ及び他の同様のデータ、帯域外コントローラ１６０又は帯域外受信機／送受信機１６２がアクセスし、利用することができる情報及び命令を保存する。幾つかの実施形態では、帯域外メモリ１６４及び帯域内メモリ１５４は、帯域内通信装置１４２及び帯域外通信装置１４４の両方によって共有される単一のメモリであってもよい。
【００２５】
更に、図２に示すように、無線局１４０は、電源１４６を備える。電源１４６は、帯域内通信装置１４２及び帯域外通信装置１４４のそれぞれに電力を供給する。これに代えて、無線局１４０は、帯域内通信装置１４２用の電源と、帯域外通信装置１４４用の電源の２つの別々の電源を備えていてもよい。電源１４６は、バッテリ、電力セル、外部の電源（例えば、屋内のコンセント、自動車のソケット）を始めとする実質的に如何なる電源又はこれらの組合せであってもよい。
【００２６】
実際の動作では、無線局１４０が帯域内通信情報を受信及び／又は送信していない場合、この無線局１４０は、帯域内通信装置１４２をアクティブモードからスリープモードに遷移させる。上述のように、多くの無線機器において、無線機器が無線通信情報をアクティブに送受信している期間は短く、殆どの期間は、無線機器は、通信情報の受信又は送信を待機している。受信及び／又は送信の待機の間、無線機器をアクティブ状態に維持することにより、多くの電力が無駄に消費される。このように、これらの実施形態では、無線局１４０が無線帯域内通信情報の送受信を待機している間、帯域内通信装置１４２をスリープ状態に維持する。
【００２７】
帯域内通信装置１４２は、スリープモードに維持されている間は、帯域内通信装置１４２のコンポーネントの電源をオフにし、これにより、電力消費が抑制される。幾つかの実施形態では、帯域内無線通信に関連するコンポーネントの電源が完全にオフにされ、これにより、電力が全く消費されなくなる。なお、幾つかの実施形態では、帯域内通信装置１４２のコンポーネントの幾つかの電源をオンにし、又は部分的にオンにすることが有益な場合もある。更に、帯域内通信装置１４２がスリープモードの間、帯域外通信装置１４４は、アクティブモードであり、ネットワーク１００の他の機器が、帯域内通信情報を無線局１４０に送信しようとしていることを示す通知によって、帯域外制御チャンネルを介する無線通信情報の受信を少なくとも待機する。帯域外通知は、帯域内通信情報の典型的なデータレートよりかなり低いデータレートで帯域外通信装置１４４に通信できる。
【００２８】
帯域外受信機／送受信機１６２は、帯域外通知を受信すると、帯域外コントローラ１６０にこの通知を送る。帯域外コントローラ１６０は、所定の指示（例えば、帯域外メモリ１６４から読み出した指示）に従って通知を処理する。幾つかの実施形態では、帯域外コントローラ１６０は、この帯域外通知が無線局１４０宛の通知であることを確認する。この確認は、帯域外通信情報のアドレス、又は他の同様の識別情報及び／又は確認手続によって行うことができる。
【００２９】
無線局１４０宛の通知が確認されると、帯域外コントローラは、帯域内通信装置１４２にシグナリングする。幾つかの実施形態では、帯域外コントローラ１６０は、帯域内コントローラ１５２と通信を行う。帯域内コントローラ１５２は、電源をオンにし、帯域内通信装置１４２をスリープモードからアクティブモードに遷移させる。帯域内通信装置１４２は、アクティブモードにされた後、当分野で周知の手法により、帯域内チャンネルを介して、無線サブネットワーク１３０及び／又はネットワーク１００のリモート機器と通信を行う。
【００３０】
幾つかの実施形態では、帯域内通信装置１４２がアクティブモードである場合、帯域外通信装置１４４は、スリープモードに遷移し、帯域外通信装置１４４のコンポーネントの電源をオフにする。このようにしても、ネットワーク１００のリモート機器は、帯域内通信装置１４２と直接通信することができるので、無線局の動作に悪影響はない。これにより、電力を更に節約することができる。
【００３１】
図３は、帯域内通信装置及び帯域外通信装置が組み込まれ、電力消費量を低減する無線機器の動作の処理３１０の簡略化されたフローチャートである。ステップ３１２においては、帯域外通知信号が受信されたか否かを判定する。帯域外通知が受信されていなければ、処理３１０は、通知が受信されるまで、ステップ３１２を繰り返す。帯域外通知が受信されると、処理３１０は、ステップ３１４に進み、帯域外通知信号のターゲットを判定及び／又は確認する。この判定及び／又は確認は、多くの異なる手法で行うことができ、これらのうちの幾つかについては、後に説明する。なお、帯域外通知が受信装置に宛てられたものではないと判定された場合は、処理３１０は、ステップ３１２に戻る。
【００３２】
帯域外通知が確認された場合、処理３１０は、ステップ３１６に進み、帯域外通信装置１４４は、帯域内通信装置１４２にシグナリングし、帯域内通信装置１４２を、電力オフ又はスリープモードから、アクティブモードに遷移させる。そして、ステップ３２０において、帯域内通信装置１４２の電源がオンにされる。ステップ３２２において、帯域内通信装置１４２は、リモート機器（例えば、アクセスポイント）に、帯域内認証信号を送り、リモート機器が未だ帯域内通信情報を送信していない場合、帯域内通信情報の送信を開始する。ステップ３２４において、帯域内通信装置１４２は、１つ以上の帯域内通信情報を受信する。
【００３３】
ステップ３２６においては、更なる通信情報が受信されるか否かを判定する。更なる帯域内通信情報が受信される場合、処理３１０は、ステップ３２４に戻る。一方、更なる通信情報が受信されないと判定された場合、処理３１０は、ステップ３３０に進み、機器から更なる帯域内通信情報を送信する予定があるか否かを判定する。更なる通信情報を送信する予定がない場合、処理３１０は、ステップ３４０に進む。一方、更なる帯域内通信情報の送信の予定がある場合、処理３１０は、ステップ３３２に進み、機器は、１つ以上の通信情報を送信する。処理３１０は、ステップ３３２を実行した後、ステップ３２６に戻る。
【００３４】
ステップ３４０においては、帯域内通信情報を最後に受信してから及び／又は帯域内通信情報を最後に送信してから、所定の期間が経過したか否かを判定する。所定の期間が経過していない場合、処理３１０は、ステップ３２６に戻る。
【００３５】
所定の期間が経過した場合、処理３１０は、ステップ３４２に進み、ここで、帯域内通信装置は、アクティブモードからスリープモードに遷移し、少なくとも帯域内通信装置１４２のコンポーネントの電源をオフにし、好ましくは、無線機器の他のコンポーネントの電源をオフにする。そして、処理３１０は、ステップ３１２に戻り、引き続き、更なる帯域外通知信号の受信を待機する。
【００３６】
幾つかの実施形態では、ステップ３２０において、帯域内通信装置１４２の電源をオンにした後、帯域内通信装置１４２がアクティブモードである間、帯域外通信装置１４４をスリープモードに遷移させる。これらの実施形態では、ステップ３４２は、帯域内通信装置１４２をアクティブモードからスリープモードに遷移させる前に、帯域外通信装置１４４をスリープモードからアクティブモードに遷移させる処理を含む。
【００３７】
幾つかの実施形態では、帯域外通信装置１４４は、受信した帯域外通信情報が、帯域外通信装置１４４を収容する無線機器に宛てられたものであることを確認する。この確認は、如何なる幾つの手法で実現してもよい。幾つかの実施形態では、帯域外通信情報は、一意的な宛先デバイス識別情報を含む。例えば、この識別情報は、帯域内通信装置１４２の８０２．１１ＷＬＡＮ／ＷＰＡＮチップセット１５０のＭＡＣアドレスであってもよく、予め定義された識別子であってもよく、又は他の同様の識別情報であってもよい。変形例として、複数の帯域外チャンネルを使用し、各帯域外チャンネルを、無線サブネットワーク１３０内の１つの無線局又は単一の無線機器に専用のチャンネルとしてもよい。これにより、予め定義された専用のチャンネルを介して帯域外通信情報を際、この帯域外通信情報が無線機器に宛てられたものであることを確認することができる。
【００３８】
幾つかの実施形態では、帯域外通信情報は、基本的な「電源オン」フレームを含むようにフォーマットしてもよい。基本的な電源オンフレームは、単純な信号であってもよく、送信される毎に実質的に同じであってもよい。ネットワーク１００又は無線サブネットワーク１３０の帯域外通信装置の１つがこの電源オンフレームを検出すると、この帯域外通信装置は、リモート送信機器への呼び掛け（interrogation）を行う。この呼び掛けは、帯域外通信装置が、帯域外チャンネルを介して、リモート送信機器（例えば、アクセスポイント１０２）に更なる通信情報を送信し、どのターゲット機器がアドレス指定されているかを判定する処理を含む。リモート送信機器は、どの機器がターゲット機器であるかを示す帯域外応答を送信する。これにより、ターゲット機器として指定されている１又は複数の機器だけが、特定／通知される。そして、アドレス指定された１又は複数の特定されたターゲット機器は、それぞれの帯域内通信装置をアクティブモードに遷移させる。この基本的な電源オンフレームを用いることにより、電源オンフレームは、非常に簡単な信号及び／又は例えば、帯域外通信装置が帯域外周波数帯域（又は、異なる変調方式）の受信電力を単に検出することによって実現できる。この簡単な実現例により、更に電力消費量を低減することができる。
【００３９】
図４は、受信された帯域外通知が受信装置に宛てたものであることを確認するための確認処理３５０の簡略化されたフローチャートである。この確認処理３５０は、図３の処理３１０のステップ３１４における具体的な処理手順の一例である。
【００４０】
まず、帯域外通信情報を受信し（図３のステップ３１２）、ここで、この帯域外通信情報は、基本的な電源オンフレームである。ステップ３５４において、帯域外通信装置は、基本的な電源オンフレームを検出し、１つ以上の帯域外チャンネルを介して、識別のための要求を送信する。ステップ３５６において、帯域外通信装置が帯域外チャンネルを介して識別情報を受信したか否かを判定する。帯域外通信装置が識別情報を受信していない場合、処理３５０は、ステップ３５８に進み、所定の期間が経過したか否かを判定する。所定の期間が経過していない場合、処理３５０は、ステップ３５６に戻る。所定の期間が経過した場合、処理は、単にステップ３１２（図３参照）に戻り、更なる帯域外通信情報を待機する。
【００４１】
ステップ４５６において、識別情報が受信されたと判定された場合、処理３５０は、ステップ３６０に進み、識別情報が、帯域内通信装置及び／又は現在の無線機器の識別情報に一致するか否かを判定する。識別情報が帯域内通信装置及び／又は機器に一致しない場合、処理は、図３のステップ３１２に戻る。一方、識別情報が帯域内通信装置及び／又は機器に一致する場合、帯域外通信情報を確認し、処理は、図３のステップ３１６に進み、帯域内通信装置をアクティブ化する。
【００４２】
包括的な又は汎用の帯域外電力オン信号（例えば、殆ど常に同じ信号）がネットワーク上で通信される幾つかの実施形態では、電力オン信号を受信する帯域外通信装置を有するサブネットワーク又はネットワークの各機器は、関連する帯域内通信装置をスリープモードからアクティブモードに遷移させることができる。一旦、帯域内通信装置がアクティブ化されると、各機器は、帯域内チャンネルを用いて、送信側の機器と通信を行い、１つ以上のどの機器が実際のターゲット機器であるかを判定することができる。ターゲット機器は、帯域内通信装置をアクティブモードに維持し、一方、遷移のターゲットではない機器は、帯域内通信装置をスリープモードに戻し、更なる帯域外通信情報を検出するように帯域外通信装置を維持（アクティブ化）する。
【００４３】
幾つかの実施形態では、帯域外通信装置１４４をスリープモードとアクティブモードとの間で遷移させることにより、電力消費を更に抑制することができる。例えば、帯域外通信装置１４４は、スリープモードからアクティブモードに定期的に遷移し、この帯域外通信装置１４４を含む機器に宛てられた帯域外通信情報の有無をチェックする。この構成では、送信側の機器は、帯域外電力オン信号又はパケットを継続的に、典型的には、所定の周期で送信してもよい。これにより、帯域外チャンネルにおいて、送信側の機器とターゲット機器とを同期する必要がなくなる。帯域外通信情報は、帯域内チャンネル（例えば、８０２．１１に基づくチャンネル）とは異なる１つ以上の周波数スペクトル（又は、変調方式）で通信されるので、帯域外電力オン信号を継続的に送信しても、帯域内チャンネルの通信の妨げにはならない。
【００４４】
幾つかの実施形態では、帯域外通信装置１４４は、帯域外通知の受信（及び確認）に応じて帯域内通信装置１４２をアクティブ化しなくてもよい。これに代えて、帯域外通信装置１４４は、帯域内通信情報が利用可能であることをユーザに通知する、ユーザが検出可能な信号又は指示をアクティブ化してもよい。これによりユーザは、帯域内通信情報を受信するために帯域内通信装置１４２の電源をオンにするか否かを任意に選択できる。
【００４５】
帯域外チャンネルの通信の範囲又は距離は、通常、無線機器の帯域内チャンネルの範囲に対応している。ターゲット機器が帯域内通信範囲の外にある場合、帯域内通信装置１４２をアクティブモードに遷移させることは望ましくない。更に、帯域外チャンネルの範囲が帯域内チャンネルの範囲より大きければ、帯域外通信装置１４４によって消費される電力は、必要以上に大きくなる。但し、幾つかの実施形態では、帯域外チャンネルの範囲が帯域内チャンネルの範囲より大きくなるように特別に設計してもよい。これにより、帯域外通知が検出され、送信が試みられている帯域内通信情報があることをユーザに通知することができる。これにより、ユーザは、帯域内通信情報を受信するのではなく、任意に、機器を送信機の近くに移動させることができる。
【００４６】
帯域外通信装置１４４は、好ましくは、ラップトップコンピュータ、無線電話機等の無線機器に組み込まれ、無線機器の一部を構成する。なお、帯域外通信装置１４４は、後付けされる付属品（after market device）であってもよい。この場合、帯域外通信装置１４４は、例えば、外部ポートを介して無線機器に接続され、これにより、無線機器は、外部の帯域外通信装置１４４によってアクティブ化されるまで、電源をオフにすることができる。
【００４７】
図５は、図２を参照して上述したものと同様の帯域内通信装置及び帯域外通信装置を備える無線機器を採用した家庭内又はオフィス内無線ネットワーク４２０の簡略化されたブロック図である。無線ネットワーク４２０は、インターネット、ＰＳＴＮ及び／又は他の同様の外部ネットワーク等の１つ以上の外部ネットワーク４２４に接続された中央アクセスポイント４２２を備える。また、無線ネットワーク４２０は、家庭又はオフィス４２６内の各所に分散して配置された複数の無線局４３０〜４３８を備える。例えば、中央アクセスポイント４２２は、居間等の第１の部屋４４０に配置される。第１の無線局４３０は、中央アクセスポイント４２２と同じ部屋の中に配置され、中央アクセスポイント４２２に無線で接続される。例えば、第１の無線局４３０は、少なくとも部分的にセットトップボックスとして動作する中央アクセスポイント４２２から、適切に符号化されたテレビジョン信号を無線で受信するハンドヘルド型のオーディオ−ビデオディスプレイ機器であってもよい。同様に、第２の部屋４４２の第２の無線局４３１及び第３の部屋４４４の第３の無線局４３２は、それぞれ中央アクセスポイント４２２を介してテレビジョン信号を無線で受信する更なるテレビジョン受像機であってもよい。
【００４８】
第２の部屋４４２の第４の無線局４３３及び第３の部屋４４４の第５の無線局４３４は、中央アクセスポイント４２２を介してＰＳＴＮ等の外部ネットワーク４２４にアクセスする無線電話機であってもよい。第６の無線局４３５は、第１の部屋４４０内に配置され、中央アクセスポイント４２２を介して、インターネット等の外部ネットワーク４２４に無線でアクセスするラップトップコンピュータであってもよい。同様に、第７の無線局４３６も、中央アクセスポイント４２２を介してインターネットに無線でアクセスするコンピュータであってもよい。更に、第６及び第７の無線局４３５、４３６は、いずれも、プリンタである第８の無線局４３７によって印刷すべき文書を中央アクセスポイント４２２を介して、第８の無線局４３７に無線で送信する。第９の無線局４３８は、インターネットからダウンロードされた音楽コンテンツストリームを、中央アクセスポイント４２２を介して、無線で受信する音楽システムであってもよい。無線局は、アクセスポイントを介してデータ又は情報を無線で受信及び／又は送信することができる実質的に如何なる機器であってもよい。更に、各無線局４３０〜４３８は、上述したものと同様の帯域内通信装置及び帯域外通信装置を備えていてもよい。
【００４９】
実際の動作では、例えば、第６の無線局４３５（例えば、ラップトップコンピュータ）は、中央アクセスポイント４２２を介してインターネット等の外部ネットワーク４２４にアクセスすることができる。第６の無線局４３５がコンテンツを受信せず及び／又はインターネットにコンテンツを要求していない間は、帯域内通信装置４５０は、スリープモードになり、少なくとも帯域内通信装置４５０の電源をオフにする。帯域外通信装置４５２は、アクティブなままで維持され、又は以前にアクティブでない場合は、アクティブ化され、アクセスポイントを介するインターネットからの通信を待機する。
【００５０】
インターネット上のサーバ４５４がラップトップコンピュータである第６の無線局４３５にコンテンツを送信しようとする場合、サーバ４５４は、（例えば、インターネットアドレスを用いて）第６の無線局４３５宛てのパケット／データを送信する。中央アクセスポイント４２２は、パケットを受信し、そして、幾つかの実施形態では、どの無線局がパケットを受信するべきであるかを判定する。そして、中央アクセスポイント４２２は、第６の無線局４３５宛の帯域外通知を生成する。第６の無線局４３５の帯域外通信装置４５２は、帯域外制御チャンネルを介して、帯域外通知を無線で受信する。帯域外通信装置４５２は、帯域内通信装置４５０をアクティブ化する。帯域内通信装置４５０は、電源をオンにし、帯域内チャンネルを介して、アクセスポイントと無線で通信し、パケット／データを要求する。次に、アクセスポイントは、帯域内チャンネルを介して、第６の無線局４３５にパケット／データを無線で送信する。
【００５１】
他の無線局４３０、４３４及び４３６〜４３８も、同様に帯域内通信装置４５０及び帯域外通信装置４５２を備え、無線局が中央アクセスポイント４２２を介して通信情報を受信及び／又は送信していない間の電力消費量を低減させる。帯域外通信装置４５２は、最小の電力消費量で動作するよう構成されており、帯域内通信装置４５０は、スリープモードにおいて、電源をオフにされ、又は非常に小さな電力で動作するので、無線局は、電力消費量を著しく低減でき、バッテリ／セルの寿命を長くすることができる。
【００５２】
以上、特定の実施形態及びその適用例を用いて本発明を説明したが、特許請求の範囲に定義されている本発明の範囲から逸脱することなく、これらの実施形態を様々に修正及び変更できることは、当業者にとって明らかである。
【図面の簡単な説明】
【００５３】
【図１】少なくとも幾つかのコンポーネントが無線チャンネルを介して通信を行う、本発明の一実施形態に基づくネットワークのブロック図である。
【図２】図１のネットワーク内に配設される無線局１４０の内部の構成例のブロック図である。
【図３】帯域内通信装置及び帯域外通信装置が組み込まれ、電力消費量を低減する図２と同様の無線機器の動作のための処理フローチャートである。
【図４】図３に示す処理において、受信された帯域外通知が受信装置に宛てたものであることを確認するための処理のフローチャートである。
【図５】図２と同様の帯域内通信装置及び帯域外通信装置を備える無線機器を採用した家庭内又はオフィス内無線ネットワークのブロック図である。
【図１】
2007526655.tif 000002
【図２】
2007526655.tif 000003
【図３】
2007526655.tif 000004
【図４】
2007526655.tif 000005
【図５】
2007526655.tif 000006
【国際調査報告】
2007526655.tif 000007